(57)【要約】【課題】常に戸当り部材が１つで済み、床など引戸周りの掃除の邪魔にもならない引戸用戸当りを提供する。【解決手段】戸当りＴを、開口部１０と対向する側の引戸Ｄの片側板面ｄに、その引戸Ｄと手掛け部材１５の手掛り１６とで挟んで該手掛りより引戸開閉方向へ弾性戸当り部３０が突出した状態で取り付け、引戸の開閉時に弾性戸当り部３０の戸当りゴム３５・３６が戸枠Ｆの縦枠材１２・１３に当たって引戸Ｄを全閉位置又は全開位置に停止して開閉ストロークを制御する。【選択図】          図１
2007085073.tif 000002
【特許請求の範囲】
【請求項１】
開閉操作の手掛りのために板面の中間高さ位置に手掛け部材が取り付けられ、その手掛け部材に手を掛けて戸枠内に開いた開口部を開閉する引戸を止めて開閉ストロークを制御する引戸用戸当りであって、
前記開口部と対向する側の前記引戸の片側板面に、その引戸と前記手掛け部材とで挟んで該手掛け部材より引戸開閉方向へ弾性戸当り部が突出した状態で取り付け、前記引戸の開閉時に前記弾性戸当り部が前記戸枠の縦枠材に当たって前記引戸を停止するようになっていることを特徴とする、引戸用戸当り。
【発明の詳細な説明】
【技術分野】
【０００１】
本発明は、引戸の開閉時に引戸を止めて開閉ストロークを制御する戸当りに関する。
【背景技術】
【０００２】
最近、建物内を介護に適した構造にリフォームする場合には、既存の各種扉の中で、回動開閉式の開き戸は取り外し、要介護者に優しいスライド開閉式の引戸に付け替える改造を行うことが多い。従来、このように開き戸を引戸に付け替える場合、たとえば図１１に示すように、引戸１は、所謂アウトセット方式により、既存の戸枠２の外側（図中上側）に重ねて、開口部３と壁４に沿って図中左右にスライド自在に取り付けている。そのため、引戸１が往復動する軌道上において戸先側と戸尻側に戸当り５・６を床付けし又は壁付けし、図１１（Ａ）に示すように開口部３を全閉した閉位置と同図（Ｂ）に示すように全開した開位置において、引戸１を戸当り５・６に当てて停止し、引戸１の開閉ストロークを所定長さに制御している。
【発明の開示】
【発明が解決しようとする課題】
【０００３】
ところが、従来、戸当りは床付けすると、その上向きの出っ張りが邪魔になり、引戸周りでの床掃除が面倒であるという課題があった。また、戸当りを床付けしようと又は壁付けしようと、上述のアウトセット方式にて引戸を取り付ける場合に、戸当り５・６は引戸１が往復動する軌道上において、戸先側と戸尻側の２箇所に付設する必要があり、それだけ戸当りの部品点数が多くなるという課題があった。
【０００４】
そこで、上記した課題を解決すべく、請求項１に記載の発明は、たとえば以下に示す図示実施の形態のとおり、開閉操作の手掛りのために板面の中間高さ位置に手掛け部材１５が取り付けられ、その手掛け部材１５に手を掛けて戸枠Ｆ内に開いた開口部１０を開閉する引戸Ｄを止めて開閉ストロークを制御する引戸用戸当りＴであって、前記開口部１０と対向する側の前記引戸Ｄの片側板面ｄに、その引戸Ｄと前記手掛け部材１５とで挟んで該手掛け部材より引戸開閉方向へ弾性戸当り部３０が突出した状態で取り付け、前記引戸Ｄの開閉時に前記弾性戸当り部３０が前記戸枠Ｆの縦枠材１２・１３に当たって前記引戸Ｄを停止するようになっていることを特徴とする。
【発明の効果】
【０００５】
請求項１に記載の発明によれば、戸当りは、引戸の片側板面に取り付け、弾性戸当り部を戸枠の縦枠材に当てて引戸を停止し開閉ストロークを制御する構成であるため、従来の如く戸先側と戸尻側に２つも設置する必要がなく、常に戸当り部材は１つで済み、それだけ部品点数を少なくし、コストも低減させることができる。また、床などの引戸周りの掃除の邪魔になることもないという利点がある。
【０００６】
加えて、請求項１に記載の発明によれば、戸当りを、引戸の中間高さ位置に取り付けられた手掛け部材に設けるから、引戸の開閉時、弾性戸当り部が引戸の中間高さ位置で戸枠の縦枠材に突き当たり、これにより、突き当りの衝撃で、引戸が持ち上がったり傾いたりしてバランスを崩すようなことがなく、常に安定した姿勢で引戸を停止させ、また、そのまま水平姿勢を崩さず安定走行させることができる。更に、戸当りは、手掛け部材で挟んで取り付けるから、取付部位にある見栄えの悪い止めねじなどを手掛け部材で覆い隠し、これにより、美観を損なうことなく、戸当りを引戸の板面に取り付けることができる。
【発明を実施するための最良の形態】
【０００７】
以下、図面を参照しつつ、本発明の実施の形態について説明する。
【０００８】
図１は、本発明の戸当りで引戸を全閉位置に停止させた状態で示す引戸構造体の正面図、図２は引戸の構造を示す斜視図である。引戸構造体は、引戸Ｄと、引戸Ｄを組み付ける壁Ｗと、枠内に壁Ｗの開口部１０を形成した戸枠Ｆとを備え、縦長な引戸Ｄを、戸枠Ｆの外側（図１中奥側）に重ねて、壁Ｗに沿って開口部１０の図中左右にスライド自在に吊設したアウトセット構造になっている。戸枠Ｆは、天井側横枠材１１と、図中左右の戸先側および戸尻側の縦枠材１２・１３とで開口部１０を矩形に枠付けしている。そして、本発明では、引戸Ｄには、その開閉操作の手掛りのために中間高さ位置にあって戸先寄りに、手掛りユニット１４を組み付けている。
【０００９】
手掛りユニット１４は、図３に示すように、手掛け部材１５を構成する引戸両面用の手掛り１６・１７と、本発明の引戸用戸当りＴと、これら戸当りＴと手掛り１６・１７とを一体に引戸Ｄに取り付ける呼込みプレート１８を備えてなる。
【００１０】
手掛り１６・１７は、共に樹脂製で、図示のように厚板で対称な外形状に成形され、それぞれ片側にフラットな細長い突き合わせ面１６ａ・１７ａを形成してなる。そのうち一側の手掛り１６は、突き合わせ面１６ａに、肉抜き穴１９…を間に置いて３つの雌ねじ穴２０を、呼込み用長ねじ２１のねじ部形状に合わせて螺設している。他側の手掛り１７には、突き合わせ面１７ａに、呼込みプレート１８と対応する凹形状の嵌合凹部１７ｂを設け、両側板面にはそれぞれ嵌合凹部１７ｂと連通する止めネジ２２用のねじ挿通穴２３をあけている。呼込みプレート１８は、アルミニウムで細長い凹凸状に一体成形し、一側手掛り１６の３つの雌ねじ穴２０の位置に対応させてねじ挿通穴２６を貫通させたねじ止め凹部１８ａを形成し、厚さ方向には他側の手掛り１７のねじ挿通穴２３と各々対応する位置に雌ねじ穴２４を螺設してなる。
【００１１】
戸当りＴは、図４に示すように、取付プレート２５に弾性戸当り部３０を備えた構成になっている。取付プレート２５は、例えばアルミニウムで一体に曲げ成形し、手掛り１６・１７に合わせた長さのベース板部２５ａと、ベース板部２５ａの幅方向両側を対向する向きに曲げ起した一対の差込み板部２５ｂ・２５ｂとで形成してなる。ベース板部２５ａには、長さ方向両端にそれぞれ半円の手掛り位置決め部２５ｃ・２５ｃを設けると共に、手掛り位置決め部２５ｃ・２５ｃ間に、一側手掛り１６の雌ねじ穴２０の位置に対応させてねじ挿通穴２７があけられている。図示例の弾性戸当り部３０は、取付プレート２５に対して別体の、２つの戸当りゴム３５・３６を用いて構成されている。戸当りゴム３５・３６は、図示のように、取付プレート２５の差込み板部２５ｂ・２５ｂが差し込まれるように、その板部形状に合わせて横向きに開口の細長いキャップ状に成形されている。斯かる部品構成の戸当りＴは、取付プレート２５の差込み板部２５ｂ・２５ｂを戸当りゴム３５・３６に差し込み、図３に示すように差込み板部２５ｂ・２５ｂに戸当りゴム３５・３６を被せて、取付プレート２５に戸当りゴム３５・３６を着脱自在に取り付けて構成する。なお、弾性戸当り部３０は、弾性を有する部材で形成すればよく、上記戸当りゴム３５・３６のようなゴム製に限らず、軟質な樹脂等で形成してもよい。
【００１２】
そこで、本発明では、上述した構成の戸当りＴを、図１に示すように手掛りユニット１４の一部構成として、引戸Ｄの中間高さにある手掛け位置に付設する。この場合、戸当りＴは、図３に示すように、長ねじ２１のねじ部２１ａを、呼込みプレート１８のねじ挿通穴２６に予め通してから、各ねじ部２１ａを、所定手掛け位置に開けた引戸Ｄのねじ貫通穴（図示省略）に通し、更に引戸Ｄの片側（図１中手前の正面側）板面ｄにベース板部２５ａを当接させた戸当りＴのねじ挿通穴２７に通し、更に手掛り位置決め部２５ｃ・２５ｃで突き合わせ面１６ａを位置合わせして突き立てた手掛り１６の雌ねじ穴２０に捩じ込む。すると、戸当りＴは、引戸Ｄと手掛け部材１５の一側手掛り１６とで挟んで、弾性戸当り部３０の戸当りゴム３５・３６が手掛り１６より戸先側と戸尻側にそれぞれ突出した状態で、引戸Ｄの片側板面ｄに取り付けられる。
【００１３】
それから、他側の板面において、呼込みプレート１８を長ねじ２１の頭部２１ｂと共に他側手掛り１７の嵌合凹部１７ｂに嵌め込み、止めネジ２２を、ねじ挿通穴２３に通して雌ねじ穴２４に捩じ込んで呼込みプレート１８に他側の手掛け１７をねじ止めする。これにより、図５に示すように、戸当りＴを引戸Ｄと手掛り１６との間に挟んで固定すると同時に該引戸を挟んで手掛り１６・１７をも固着して手掛りユニット１４の組み付けを終える。また、戸当りＴは、この組付状態において、手掛け部材１５の手掛り１６で挟んで取り付けられ、取付部位にある見栄えの悪い長ねじ２１などを手掛け部材１５で覆い隠している。
【００１４】
さて、上記引戸構造体では、手掛り１６・１７に手を掛けて、引戸Ｄをスライドさせて開口部１０を閉じたとき、図１および図６に示すように、戸当りＴは、戸先側の戸当りゴム３５が戸枠Ｆの戸先側縦枠材１２に当たって引戸Ｄを停止し、開口部１０が全閉した閉位置に位置決める。一方、引戸Ｄをスライドさせて開口部１０を開くときは、図７および図８に示すように、戸当りＴは、戸尻側の戸当りゴム３６が戸枠Ｆの戸尻側縦枠材１３に当たって引戸Ｄを停止して開口部１０が全開した開位置に位置決めする。こうして、引戸Ｄの片側板面ｄの中間高さ位置に取り付けた戸当りＴによって引戸Ｄの開閉ストロークを所定長さに制御する。
【００１５】
しかも、本発明の戸当りＴは、特に引戸Ｄの中間高さの手掛け位置に設けるから、上述した引戸Ｄの開閉時に、その都度、弾性戸当り部３０が引戸の中間高さ位置で戸枠Ｆの縦枠材１２・１３に突き当たるため、これにより、突き当りの衝撃で、引戸Ｄが持ち上がったり傾いたりしてバランスを崩すようなことがなく、常に安定した姿勢で引戸Ｄを停止させ、また、そのまま水平姿勢を崩さず安定走行させることができる。
【００１６】
ところで、上述した図示実施の形態において、戸当りＴは、引戸Ｄの片側板面ｄに取り付けたときに引戸開閉方向の両側に弾性戸当り部３０を備えた構造のものであった。しかし、本発明では、必要に応じて、たとえば図９および図１０に示すように、引戸開閉方向の片側に弾性戸当り部３０を備えた戸当りＴを用い、該戸当りを、引戸Ｄと手掛け部材１５の一側手掛り１６とで挟んで、片側の弾性戸当り部３０（戸当りゴム３６）が手掛り１６より戸尻側に突出した状態で、引戸Ｄの片側板面ｄに取り付ける構成にすることもできる。図９は、他例の戸当りＴを備えた手掛りユニット１４の分解斜視図、図１０は他例の戸当りＴを備えた手掛りユニット１４の組立斜視図である。
【００１７】
そこで、図示他例の戸当りＴでは、取付プレート２５の片側に弾性戸当り部３０を備えるが、そのため、取付プレート２５には、ベース板部２５ａの幅方向片側にのみ曲げ起した差込み板部２５ｂを設け、該差込み板部に戸当りゴム３６を被せて弾性戸当り部３０を１つ片側に形成する。そして、他例の戸当りＴは、引戸Ｄと手掛け部材１５の一側手掛り１６とで挟んで、弾性戸当り部３０（戸当りゴム３６）が手掛り１６より戸尻側に突出した状態で、引戸Ｄの片側板面ｄに取り付ける。
【００１８】
なお、以上の図示実施の形態では、戸当りＴを挟んで引戸Ｄの中間高さの手掛け位置に取り付ける手掛け部材１５は手掛り１６であったが、本発明では、そのような手掛りに限らず、引戸Ｄの中間高さの手掛け位置に取り付ける手掛け部材であれば、例えば取手や引手の他、ドアノブやハンドル等であってもよい。
【図面の簡単な説明】
【００１９】
【図１】本発明の引戸用戸当りで引戸を全閉位置に停止した状態で示す引戸構造体の正面図である。
【図２】本発明の戸当りを取り付けた引戸の構造を示す斜視図である。
【図３】本発明の戸当りを備えた手掛りユニットの分解斜視図である。
【図４】本発明の戸当りの分解斜視図である。
【図５】本発明の戸当りを備えた手掛りユニットの組立斜視図である。
【図６】本発明の戸当りで引戸が全閉位置に停止した状態を示す概略平面図である。
【図７】本発明の戸当りで引戸が全開位置に停止した状態を示す正面図である。
【図８】本発明の戸当りで引戸が全開位置に停止した状態を示す概略平面図である。
【図９】他例の戸当りを備えた手掛りユニットの分解斜視図である。
【図１０】他例の戸当りを備えた手掛りユニットの組立斜視図である。
【図１１】（Ａ）従来の戸当りで引戸が全閉位置に停止した状態を示す正面図、（Ｂ）戸当りで引戸が全閉位置に停止した状態を示す概略平面図である。
【符号の説明】
【００２０】
Ｄ            引戸
Ｆ            戸枠
Ｔ            戸当り
Ｗ            壁
ｄ            引戸の片側板面
１０          開口部
１２・１３    縦枠材
１５          手掛け部材
１６・１７    手掛り
３０          弾性戸当り部
３５・３６    戸当りゴム
【図１】
2007085073.tif 000003
【図２】
2007085073.tif 000004
【図３】
2007085073.tif 000005
【図４】
2007085073.tif 000006
【図５】
2007085073.tif 000007
【図６】
2007085073.tif 000008
【図７】
2007085073.tif 000009
【図８】
2007085073.tif 000010
【図９】
2007085073.tif 000011
【図１０】
2007085073.tif 000012
【図１１】
2007085073.tif 000013